(57)【要約】【課題】変化性を有し綺麗な円筒により多数の部材を収容することができ、光源からの熱を有効に放熱可能な懐中電灯を提供すること。【解決手段】内部には、シールパッキンと、透明レンズと、が設けられる放熱前蓋と、放熱前蓋の内部に嵌め設けられる光源と、外壁面の前端には、前ねじ段が設けられ、外壁面の後端には、後ねじ段が設けられる導電性付き放熱子と、その前端には、導電性付き放熱子の後ねじ段に締め付けられる内ねじ段が設けられ、その後端には、外ねじ段と、シールパッキンと、が設けられる樹脂円筒と、樹脂円筒の後端に嵌め込まれて導電片と接触し、樹脂円筒の定位溝に応じて、電池をガイドするガイド溝が設けられる導電台と、樹脂円筒の後端に設けられた外ねじ段に締め付けられる内ねじ段を有し、その内部には、防水蓋と、人工知能制御器と、が設けられる樹脂後蓋と、を備える。【選択図】図１
2011082096.tif 000002
【特許請求の範囲】
【請求項１】
放熱効果を有し、その内部には、シールパッキンと、透明レンズと、が設けられる放熱前蓋と、
光線を発生し、前記放熱前蓋の内部に嵌め設けられる光源と、
外壁面の前端には、前ねじ段が設けられ、外壁面の後端には、後ねじ段が設けられ、前記前ねじ段と前記後ねじ段との側面には、シールパッキンが設けられ、前記前ねじ段は、前記放熱前蓋に締付され、前記光源を固定する導電性付き放熱子と、
その前端には、前記導電性付き放熱子の前記後ねじ段に締め付けられる内ねじ段が設けられ、その後端には、外ねじ段と、前記外ねじ段の側面に設けられるシールパッキンとが設けられ、その内壁面には、互いに対応する二つの規制溝と、互いに対応する二つの定位溝と、が設けられ、前記規制溝が導電片を規制し固定し、前記導電片の一端が前記導電性付き放熱子と接触し、前記定位溝は、摺動条を有する電池の位置を規制する樹脂円筒と、
前記樹脂円筒の後端に嵌め込まれて前記導電片と接触し、前記樹脂円筒の前記定位溝に応じて、電池をガイドするガイド溝が設けられる導電台と、
前記樹脂円筒の後端に設けられた前記外ねじ段に締め付けられる内ねじ段を有し、その内部には、防水蓋と、人工知能制御器と、が設けられ、前記人工知能制御器には、前記導電台と接触する導電リングが設けられる樹脂後蓋と、
を備えることを特徴とする懐中電灯。
【請求項２】
前記樹脂円筒の内部に設けられた前記規制溝は、更に、前記導電片を規制し固定するための楔形溝に形成されていることを特徴とする、請求項１に記載の懐中電灯。
【発明の詳細な説明】
【技術分野】
【０００１】
本発明は、懐中電灯に関し、特に、円筒である本体が樹脂で作製され、変化性を有し綺麗な円筒により多数の部材を収容することができ、放熱効果を有する前蓋に、光源が組み付けられた導電性付き放熱子を組合わせることにより、光源からの熱を有効に放熱可能な懐中電灯に関するものである。
【背景技術】
【０００２】
日常の生活では、照明が必要なときが多々ある。例えば暗い部屋で電灯のスイッチの所在位置を探すとき、夜間に部屋が停電したとき、夜間に錠を開けるとき、或いは暗い場所でものを探すときに即時の照明が必要である。
【発明の概要】
【発明が解決しようとする課題】
【０００３】
しかしながら、身の回りに懐中電灯を常時携帯する人々は殆どない。その理由は、懐中電灯が重たく、懐中電灯を使用する機会が少なく、かつ不明確であるためである。携帯用の小型の懐中電灯にあっては、金属製のものが多いので、重量が重たいだけでなく、金属加工がより面倒であり、素材の価格が高いので製造コストが高くつくといった問題があった。
【０００４】
本発明の主な目的は、円筒である本体が樹脂で作製され、変化性を有し綺麗な円筒により多数の部材を収容することができ、放熱効果を有する前蓋に、光源が組み付けられた導電性付き放熱子を組合うことにより、光源からの熱を有効に放熱可能な懐中電灯を提供することにある。
【課題を解決するための手段】
【０００５】
本発明に係る懐中電灯によると、放熱効果を有し、その内部には、シールパッキンと、透明レンズと、が設けられる放熱前蓋と、
光線を発生し、前記放熱前蓋の内部に嵌め設けられる光源と、
外壁面の前端には、前ねじ段が設けられ、外壁面の後端には、後ねじ段が設けられ、前記前ねじ段と前記後ねじ段との側面には、シールパッキンが設けられ、前記前ねじ段は、前記放熱前蓋に締付され、前記光源を固定する導電性付き放熱子と、
その前端には、前記導電性付き放熱子の前記後ねじ段に締め付けられる内ねじ段が設けられ、その後端には、外ねじ段と、前記外ねじ段の側面に設けられるシールパッキンと、が設けられ、その内壁面には、互いに対応する二つの規制溝と、互いに対応する二つの定位溝と、が設けられ、前記規制溝が導電片を規制し固定し、前記導電片の一端が前記導電性付き放熱子と接触し、前記定位溝は、摺動条を有する電池の位置を規制する樹脂円筒と、
前記樹脂円筒の後端に嵌め込まれて前記導電片と接触し、前記樹脂円筒の前記定位溝に応じて、電池をガイドするガイド溝が設けられる導電台と、
前記樹脂円筒の後端に設けられた前記外ねじ段に締め付けられる内ねじ段を有し、その内部には、防水蓋と、人工知能制御器と、が設けられ、前記人工知能制御器には、前記導電台と接触する導電リングが設けられる樹脂後蓋と、
を備えることを特徴とする。
【０００６】
本発明の懐中電灯によると、前記樹脂円筒の内部に設けられた前記規制溝は、更に、前記導電片を規制し固定するための楔形溝に形成されてもよいことを特徴とする。
【発明の効果】
【０００７】
本発明の懐中電灯によれば、次のような効果がある。
（１）二つの導電片により、光源が組み付けられた導電性付き放熱子と、樹脂円筒の後端にある導電台とを電気的に接続するとともに、導電台と人工知能制御器の導電リングとを電気的に接続する。そうすることにより、人工知能制御器により光源の発光状態を制御することができる。
【０００８】
（２）二つの導電片は、規制溝が楔形溝となっているので、懐中電灯の部材や電池を取外すときに導電片が脱落しない。
【０００９】
（３）光源が組み付けられた導電性付き放熱子には、放熱効果を有する前蓋が組合せられているので、光源による熱を有効に放熱することができて、光源の寿命が更に長く延びる。
【００１０】
（４）樹脂円筒に設けた定位溝と、導電台に設けたガイド溝とにより、摺動条を有する電池をガイドして位置決めすることができるので、電池の極性を間違えて組付ける可能性を無くすことができる。
【００１１】
（５）樹脂円筒と後蓋と樹脂で形成するので、懐中電灯全体の重量が軽くなり、製品の造形の変化の可能性が多くなる。
【図面の簡単な説明】
【００１２】
【図１】本発明の一実施形態に係る懐中電灯の分解斜視図である。
【図２】本発明の一実施形態に係る懐中電灯の組合状態の模式図である。
【図３】本発明の一実施形態に係る懐中電灯の断面図である。
【図４】本発明の一実施形態に係る懐中電灯の一部の拡大断面図である。
【図５】本発明の一実施形態に係る懐中電灯の断面図である。
【図６】本発明の一実施形態に係る懐中電灯の一部の拡大断面図である。
【発明を実施するための形態】
【００１３】
以下に本発明の実施形態を図面に基づいて説明する。
図１〜３は本発明に係る懐中電灯の一実施形態の説明図で、図１は本発明に係る懐中電灯の分解斜視図であり、図２は懐中電灯の組合状態の模式図であり、図３は懐中電灯の断面図である。
【００１４】
本発明の懐中電灯は、放熱前蓋１と、光源２と、導電性付き放熱子３１と、樹脂円筒３と、導電台３７と、樹脂後蓋５と、を含む。
【００１５】
前記放熱前蓋１は、放熱効果を有し、その内部には、シールパッキン１１と、透明レンズ１２と、が設けられる。
前記光源２は、光線を発生し、前記放熱前蓋１の内部に嵌め設けられる。
【００１６】
前記導電性付き放熱子３１は、外壁面の前端には、前ねじ段３１１が設けられ、外壁面の後端には、後ねじ段３１２が設けられる。前記前ねじ段３１１と前記後ねじ段３１２との側面には、シールパッキン３１３が設けられる。前記前ねじ段３１１は、前記放熱前蓋１に締付され、前記光源２を押付けて固定する。
【００１７】
前記樹脂円筒３は、その前端には、前記導電性付き放熱子３１の前記後ねじ段３１２に締め付けられる内ねじ段３２が設けられる。その後端には、外ねじ段３３と、前記外ねじ段３３の側面に設けられるシールパッキン３４と、が設けられる。その内壁面には、互いに対応する二つの規制溝３５と、互いに対応する二つの定位溝３６と、が設けられ、前記規制溝３５が導電片３５１を規制し固定し、前記導電片３５の一端が前記導電性付き放熱子３１と接触する。前記定位溝３６は、摺動条４１を有する電池４の位置を規制する。
【００１８】
前記導電台３７は、前記樹脂円筒３の後端に嵌め込まれて前記導電片３５１と接触し、前記樹脂円筒３の前記定位溝３６に応じて、電池４をガイドするガイド溝３７１が設けられる。
【００１９】
前記樹脂後蓋５は、前記樹脂円筒３の後端に設けられた前記外ねじ段３３に締め付けられる内ねじ段５１を有する。その内部には、防水蓋５２と、人工知能制御器５３と、が設けられる。前記人工知能制御器５３には、前記導電台３７と接触する導電リング５３１が設けられる。
【００２０】
次に、図１から図６を参照しながら本発明の組付方法を説明する。
まず、前記放熱前蓋１に前記シールパッキン１１と前記透明レンズ１２とを嵌め込む。前記放熱前蓋１の内部に前記光源２を嵌設する。前記導電性付き放熱子３１に設けられた前記前ねじ段３１１に前記放熱前蓋１を締め付けることにより、前記光源２を押付け固定する。前記放熱前蓋１の側面に前記シールパッキン３１３を嵌設した後、前記樹脂円筒３の二つの前記規制溝３５に前記導電片３５１をそれぞれ入れる。前記規制溝３５が楔形溝であるので、前記導電片３５１を規制して固定することができる。
そして前記導電性付き放熱子３１に設けられた後ねじ段３１２に、前記樹脂円筒３に設けられた前記内ねじ段３２を締め付けると、前記導電片３５１の一端が前記導電性付き放熱子３１と接触する。
その後、前記樹脂円筒３の後端に前記導電台３７を嵌め込むと、前記導電台３７が前記導電片３５１と接触し、且つ前記ガイド溝３７１が前記定位溝３６に対応し摺動条４１を有する電池４の装入をガイドすることができる。
また、前記電池４の上端が前記光源２と接触する。
その後、前記樹脂後蓋５に前記防水蓋５２と前記人工知能制御器５３とを順次に入れて、前記樹脂円筒３の後端に設けられた前記外ねじ段３３に、前記樹脂後蓋５に設けられた前記内ねじ段５１を締め付けることにより、前記電池４の後端が前記人工知能制御器５３と接触する。そうすることで、前記導電台３７と、前記人工知能制御器５３に設けられた導電リング５３１とが電気回路を形成する。
【００２１】
二つの前記導電片３５１により、前記光源２が組み付けられた前記導電性付き放熱子３１と、前記樹脂円筒３の後端にある前記導電台３７とを電気的に接続するとともに、前記導電台３７と、前記人工知能制御器５３の前記導電リング５３１とを電気的に接続する。
これにより、前記人工知能制御器５３により前記光源２の発光状態を制御することができる。
【００２２】
以上のように本発明の実施例について説明したが、本発明はこれらの実施形態に限定されるものではなく、当該技術分野において通常の知識を有する者が、本発明の精神および範囲を逸脱することなく、ここに開示した実施例に変更、追加、または、削除を施したものも本発明に含まれるべきものである。
【産業上の利用可能性】
【００２３】
本発明は、懐中電灯に適用することができる。
【符号の説明】
【００２４】
１：放熱前蓋、２：光源、３：樹脂円筒、４：電池、５：樹脂後蓋、１１：シールパッキン、１２：透明レンズ、３１：導電性付き放熱子、３２：内ねじ段、３３：外ねじ段、３４：シールパッキン、３５：規制溝、３６：定位溝、３７：導電台、４１：摺動条、５１：内ねじ段、５２：防水蓋、５３：人工知能制御器、３１１：前ねじ段、３１２：後ねじ段、３１３：シールパッキン、３５１：導電片、３７１：ガイド溝、５３１：導電リング。
【図１】
2011082096.tif 000003
【図２】
2011082096.tif 000004
【図３】
2011082096.tif 000005
【図４】
2011082096.tif 000006
【図５】
2011082096.tif 000007
【図６】
2011082096.tif 000008